(57)【特許請求の範囲】
【請求項１】
鏡を係止するための鏡係止具と、該鏡係止具を壁面に対して取り付ける固定具とからなり、前記鏡係止具は、鏡の背面側に配設され前記固定具に取り付けられる門型の基板部と、該基板部から延長され鏡の上端面を係止するフック部とを有し、固定具と鏡係止具の基板部との間には、一方側に多数の連続した係止用の刻設歯が設けられており、他方側には前記刻設歯に噛合する係止片が設けられており、前記固定具の両外側の端面に形成された上下の支承板部と中間部の支承板部との間に、前記門型の基板部に形成された左右の門型脚部をスライドさせて上下動自在に嵌合装着させたことを特徴とする鏡の取付具。
【請求項２】
前記門型の基板部の両方の内側端面又は片方の内側端面に前記刻設歯が設けられ、前記固定具の両方の外側端面又は片方の外側端面に前記係止片が設けられ、前記門型の基板部には当該基板部を左右に拡開するための係止凸部が形成されている請求項１に記載の鏡の取付具。
【発明の詳細な説明】
【０００１】
【発明の属する技術分野】
本発明は、浴室や洗面室等の壁面に鏡を取り付けるに際し用いられるものであって、鏡の上端面を固定するための取付具に関するものである。
【０００２】
【従来の技術】
従来、鏡を浴室等の壁面に取り付けるには、図１０に示すような鏡係止具１及び２が用いられていた。同図の図（Ａ）は鏡３を壁面へ取り付けた状態を示す正面図であり、図（Ｂ）及び図（Ｃ）は鏡３の上端面３Ａを固定するための係止具１を示す正面図及び側面図である。また同図の図（Ｄ）及び図（Ｅ）は鏡３の下端面３Ｂを固定するための係止具２を示す正面図及び側面図である。係止具１は、鏡３の上端面３Ａに被さるための凹部１Ａと、フック状に折り曲げた係止片１Ｂと、ビス等の長孔４とを有している。これに対して係止具２は、鏡３の下端面３Ｂを支持するための凹部２Ａと、フック状に折り曲げた係止片２Ｂと、ビス等の取付孔５とを有している。
【０００３】
鏡３の下端面側の係止具２は、取付孔５が丸孔であり、壁面へリジッドに固定される。これに対して鏡３の上端面側の係止具１は、ビス等の装着孔が長孔４であり、係止具１がガタつかない程度にビス等を緩めにねじ込んでおく。鏡３の壁面への取り付けは、係止具１を上方へ引き上げた状態にしておき、この状態から鏡３の下端面３Ｂを係止具２の凹部２Ａへ嵌合装着し、鏡３を壁面に沿わせた後、係止具１を押し下げ、その凹部１Ａを鏡３の上端面３Ａへ被せて当接させるようにしている。ところが、前記従来の鏡の取付構造にあっては、係止具１の締め込み具合が緩すぎると、係止具１が上方へ動いて係止片１Ｂが鏡３から外れて鏡が脱落する虞れがあった。
【０００４】
そのため従来においては、図１１に示す特許第２９５５５８８号公報に記載された発明のように、鏡３の上端面３Ａを係止するための係止具６と、該係止具６を壁面Ｗへ固定するための固定具７との二つの部材で鏡３の上端面３Ａを係止するようにした技術が公知である。この先願技術は、固定具７をボックス状にしてボックス内に下向きの弾性舌片８を設け、係止具６の基板部６Ａに矩形状の窓９を形成し、該基板部６Ａを前記ボックス状固定具７の中へ差し込んだときに、前記弾性舌片８が矩形状の窓９内に自己弾性力により復帰して嵌合し、ロック（抜止）がなされるようにしている。尚、鏡３の下端面３Ｂの係止具２は、弾性部材１０が設けられている点を除けば、前記図１０に示すものと略同じである。
【０００５】
【発明が解決しようとする課題】
ところが、前記先願技術にあっては、下端側の係止具２と上端側の固定具７との取付寸法関係に誤差があると、鏡３がガタつく原因になったり、鏡３を取り付けることができなくなるという欠点があり、施工上の寸法管理を厳しくする必要があった。
【０００６】
【課題を解決するための手段】
本発明は従来の前記課題に鑑みてこれを改良除去したものであって、施工誤差を吸収した上でリジッドに鏡を固定でき、また安価に提供することのできる鏡の係止具を提供せんとするものである。
【０００７】
而して、前記課題を解決するために本発明が採用した請求項１の手段は、鏡を係止するための鏡係止具と、該鏡係止具を壁面に対して取り付ける固定具とからなり、前記鏡係止具は、鏡の背面側に配設され前記固定具に取り付けられる門型の基板部と、該基板部から延長され鏡の上端面を係止するフック部とを有し、固定具と鏡係止具の基板部との間には、一方側に多数の連続した係止用の刻設歯が設けられており、他方側には前記刻設歯に噛合する係止片が設けられており、前記固定具の両外側の端面に形成された上下の支承板部と中間部の支承板部との間に、前記門型の基板部に形成された左右の門型脚部をスライドさせて上下動自在に嵌合装着させたことを特徴とする鏡の取付具である。
固定具と、鏡係止具の基板部との間の一方側の係止片が、他方側の刻設歯に噛合した状態では、鏡係止具の移動は拘束されるので、鏡が脱落する等のことはない。またこの刻設歯と係止片との噛合は、刻設歯が多数設けられているので、施工上の寸法誤差があってもこれを吸収することが可能である。
【０００８】
本発明の請求項２に記載の発明は、前記門型の基板部の両方の内側端面又は片方の内側端面に前記刻設歯が設けられ、前記固定具の両方の外側端面又は片方の外側端面に前記係止片が設けられ、前記門型の基板部には当該基板部を左右に拡開するための係止凸部が形成されているものである。
これらの門型の基板部とこれにはまり込む固定具との間に噛合関係を持たせることにより、極めて簡単な構成で係止具をクリック方式で固定具へ係止させることができる。
【０００９】
また、請求項２に記載の発明は、門型基板部を左右に拡開することにより、係止具の脱着が自由に行え、鏡の取り替えが容易である。
【００１０】
【発明の実施の形態】
以下に、本発明の構成及び参考例の構成を図面に示す実施の形態に基づいて説明すると次の通りである。なお、従来の場合と同一符号は同一部材である。図１〜図３は本発明の第１の実施の形態に係るものであり、図１の図（Ａ）は施工後の状態を示す縦断面側面図、図（Ｂ）は鏡３の上端面３Ａを係止するための係止具１１と固定具１２とから成る取付具１３を示す正面図、図（Ｃ）は鏡３の下端面３Ｂを係止するための取付具１４を示す正面図である。図２は取付具１３を示すものであり、図（Ａ）は係止具１１の背面図、図（Ｂ）は係止具１１の側面図、図（Ｃ）は固定具１２の背面図、図（Ｄ）は固定具１２の側面図、図（Ｅ）は図（Ａ）の部分拡大図である。更に図３の図（Ａ）〜図（Ｅ）は係止具１１と固定具１２の係合を解放する作業順序を示す正面図である。
【００１１】
図１及び図２の図（Ａ）及び図（Ｂ）に示すように、鏡３の上端面３Ａを壁面Ｗに対して取り付けるための取付具１３が係止具１１と固定具１２とから成るものであることは前述した通りである。係止具１１は、鏡３の背面側に配設され前記固定具１２に取り付けられる基板部１５と、該基板部１５から延長され鏡３の上端面３Ａを係止するフック部１６とを有し、基板部１５が門型に形成されている。そして、左右の門型脚部１７Ａ，１７Ｂの下部側の内側面には斜め上方向きの多数の刻設歯１８Ａ，１８Ｂが刻設され、外側両端の中間部には係止凸部１９Ａ，１９Ｂが設けられている。
【００１２】
他方の固定具１２は、下端部に鏡３の背面側（壁面Ｗとは反対側）へ向かう係止片２０が折曲形成されている。この係止片２０は、その両端側が前記門型脚部１７Ａ，１７Ｂの刻設歯１８Ａ，１８Ｂに噛合するようになっている。また両側面の上下部には、係止具１１の左右の門型脚部１７Ａ，１７Ｂの背面側と面接合してこれを支承する支承板部２１Ａ，２１Ｂが形成されている。更に、上下の支承板部２１Ａ，２１Ｂの中間には、前記門型脚部１７Ａ，１７Ｂの前面側と面接合してこれを支承する支承板部２２Ａ，２２Ｂが形成されており、支承板部２２Ａ, ２２Ｂには門型脚部１７Ａ，１７Ｂを押圧してガタツキを防止するための隆起部２３が設けられている。更にまた、この固定具１２の正面側の上部には壁面Ｗに対してビス固定するための取付孔２４が穿設されており、その下方には鏡３の背面側を弾性支持するクッション材２５が接着されている。
【００１３】
これに対して、鏡３の下端面３Ｂを固定するための取付具１４は、基本的には図１１に示す取付具２の場合と同じであり、クッション材２６の形状が異なるだけである。
【００１４】
このように構成された取付具１３及び１４による壁面Ｗに対する鏡３の施工要領は以下の通りである。すなわち、先ず、壁面Ｗの鏡３を取り付ける位置にあって、鏡３の下端面３Ｂに対応する位置に取付具１４をビス固定する。そして、壁面Ｗの鏡３の中間部位に相当する位置にクッション材２７を両面粘着テープ等を用いて固定する。
【００１５】
次に、固定具１２の両外側の端面の上下の支承板部２１Ａ，２１Ａ及び２１Ｂ，２１Ｂと中間部の支承板部２２Ａ，２２Ｂとの間に、係止具１１の門型脚部１７Ａ，１７Ｂをスライドさせて外嵌させ、その内面側の刻設歯１８Ａ及び１８Ｂを固定具１２の係止片２０に一つの歯分（ワンクリック）だけ噛合させた状態で準備する。刻設歯１８Ａ，１８Ｂは鋸歯状で斜め上方向きの歯であるため、係止片２０が噛合した後は係止具１１が上方へ抜け出ることはない。そして、この状態で壁面Ｗの鏡３の上端面３Ａに対応する位置よりもやや下方の位置に、取付具１３の固定具１２をビス固定する。
【００１６】
然る後は、鏡３を斜めにしてその下端面３Ｂを取付具１４のフック部に載置し、鏡３の上端面３Ａ側を起こして壁面Ｗに対して沿わせる。そして、最後に係止具１１のフック部１６を押し下げ、フック部１６の内底面側が鏡３の上端面３Ａに当接するまで門型脚部１７Ａ，１７Ｂの刻設歯１８Ａ，１８Ｂに対して固定具１２の係止片２０を順次噛合させ、鏡３の取り付けを完了する。刻設歯１８Ａ，１８Ｂと係止片２０とが噛合した後は、刻設歯１８Ａ，１８Ｂが斜め上方向きの歯であるため、係止具１１を上方へ引き抜くことはできない。そのため、施工後にあって、清掃等により係止具１１に触れたとしても当該係止具１１が上方へ移動することがなく、鏡３の脱落事故等は発生しない。
【００１７】
鏡３の交換等に際し、鏡３を取り外す場合は、図３の図（Ａ）〜図（Ｅ）に示す要領で行えばよい。すなわち、先ず、図（Ａ）に示す取付状態から、図（Ｂ）に示すように、六角レンチ等の工具２８を二本準備し、壁面Ｗと鏡３との隙間から工具２８を挿入して係止具１１の門型脚部１７Ａ，１７Ｂの外側中間部に設けた係止凸部１９Ａ，１９Ｂに係合させる。そして、図（Ｃ）に示すように、工具２８の中間部を係止具１１のフック部１６の両端に係止させ、更に図（Ｄ）に示すように、工具２８どうしの上部側の間隔を狭めて門型脚部１７Ａ，１７Ｂの間隔を広げ、その内面側に設けた刻設歯１８Ａ，１８Ｂを固定具１２の係止片２０との噛合関係から解放する。これにより、図（Ｅ）に示すように、係止具１１を上方へ引き抜くことが可能であり、鏡３の取り外しが可能である。
【００１８】
図４は本発明の第２の実施の形態に係るものであり、図（Ａ）は係止具２９の背面図、図（Ｂ）係止具２９の側面図、図（Ｃ）は固定具３０の背面図、図（Ｄ）は固定具３０の側面図である。この実施の形態の係止具２９と固定具３０は、基本的には前記第１の実施の形態の係止具１１と固定具１２と同じである。相違する点は、係止具２９の門型脚部１７Ｂの内周面側にのみ刻設歯１８Ｂが形成されていることと、固定具３０の取付孔２４が丸孔から長孔へ変更されていることにある。作用効果についても、前記第１の実施の形態の場合と同じである。
【００１９】
図５は本発明の第３の実施の形態に係るものであり、図（Ａ）は係止具３１と固定具３２とが係合している状態を示す正面図、図（Ｂ）は同側面図である。同図に示す如く、この第３の実施の形態にあっては、係止具３１の門型脚部１７Ａ，１７Ｂの正面側に所定間隔を置いて凸条の刻設歯３３Ａ，３３Ｂを設ける。他方の固定具３２の下部側には、支承板部２２Ａ，２２Ｂを延長して門型脚部１７Ａ，１７Ｂに対応する門型脚部３４Ａ，３４Ｂを設け、該門型脚部の先端を曲げて係止片３５Ａ，３５Ｂを形成する。
【００２０】
固定具３２を壁面Ｗに対してビス固定した後、係止具３１を固定具３２の支承板部どうしの間へ装着し、押し込んでいくと、門型脚部１７Ａ，１７Ｂの刻設歯３３Ａ，３３Ｂが固定具３２の門型係止片３５Ａ，３５Ｂを押し広げながら下降する。そして、鏡３の上端面３Ａが係止具３１のフック部１６の内側底面へ到達するまで押込み、鏡３の取り付けを完了する。取り付けが終わった後は、係止具３１は係止片３５Ａ，３５Ｂの上側端面へ引っ掛かり、係止具３１の上方への移動を抑制する。そのため、清掃時等に係止具３１が外れるということがなく、鏡３の脱落事故等を確実に防止することができる。
【００２１】
図６及び図７は参考例の第４の実施の形態に係るものであり、図６の図（Ａ）は係止具３６の背面図、図（Ｂ）は同側面図、図（Ｃ）は図（Ｂ）の部分拡大図である。図７の図（Ａ）は固定具３７の背面図、図（Ｂ）は図（Ａ）のＸ−Ｘ線断面図、図（Ｃ）は図（Ａ）のＹ−Ｙ線断面図、図（Ｄ）は固定具３７の正面図、図（Ｅ）は固定具３７へ係止具３６を嵌合装着した状態を示す側面図である。図６に示す如く、係止具３６の下部側両側面寄りには、背面側から正面側へ切り起こした係止片３８Ａ，３８Ｂが形成されている。また中央には上下方向の長孔３９が穿設されている。
【００２２】
これに対して固定具３７は、図７に示すように、正面側の両側面寄りに三角形状で横方向へ伸びる刻設歯４０Ａ，４０Ｂが上下方向に多数連続して設けられている。また固定用のビスを装着するための取付孔２４は背面側へ所定厚み分だけ突出した環状凸部２４Ａを有している。この環状凸部２４Ａは、前記係止具３６の長孔３９へ嵌合する大きさに設定されている。
【００２３】
係止具３６と固定具３７とは、係止具３６の係止片３８Ａ，３８Ｂが固定具３７の刻設歯４０Ａ，４０Ｂの上部側と係合する位置で、固定具３７の環状凸部２４Ａを係止具３６の長孔３９へ嵌合装着し、この状態で取付孔２４から壁面Ｗに対してビスをねじ込んで係止部材３６及び固定具３７を同時に取り付ければよい。そして、係止具３６のフック部１６を押し下げ、係止片３８Ａ，３８Ｂが順次刻設歯４０Ａ，４０Ｂを乗り越えるようにする。フック部１６が鏡３の上端面３Ａに当接した後は、係止具３６を強制的に上方へ引き上げない限りは、鏡３が脱落することはない。鏡３の取り替えに際しては、ネジ回し等の工具を利用して係止具３６を強制的に上方へ引き上げればよい。
【００２４】
図８及び図９は参考例の第５の実施の形態に係るものである。図８の図（Ａ）は係止具４１の背面図、図（Ｂ）は平面図、図（Ｃ）は側面図である。また図９の図（Ａ）は固定具４２の背面図、図（Ｂ）は横断平面図、図（Ｃ）は正面図、図（Ｄ）は図（Ｃ）のＺ−Ｚ線断面図である。係止具４１は、フック部１６と長孔３９とを有し、更に片方の側面寄りの位置に基板部１５及びフック部１６に亙って切り抜き形成されたアーム部４３を有し、アーム部４３の先端側が背面側へ折曲形成されて係止片４４を構成している。切り抜かれた後は、長窓４５となっている。一方、固定具４２は、その正面側に三角歯状の刻設歯４６が形成されており、背面側には、長窓４５に係合し得る矩形体状の凸部４７が形成されている。
【００２５】
このように構成された係止具４１と固定具４２とは、固定具背面側の環状凸部２４Ａ及び矩形体状凸部４７を係止具４１の長孔３９及び長窓４５へそれぞれへ嵌合させる。このとき、係止具４１のアーム部先端の係止片４４は、固定具４２の刻設歯４６に噛合する。係止片４４と刻設歯４６とによる係止具４１の抜止作用については、前述した各実施の形態の場合と同じである。またその他の構成並びに作用効果についても前述した各実施の形態の場合と同じである。
【００２６】
【発明の効果】
以上説明したように本発明の鏡の取付具にあっては、鏡を係止するための鏡係止具と、該鏡係止具を壁面に対して取り付ける固定具とからなり、前記鏡係止具は、鏡の背面側に配設され前記固定具に取り付けられる門型の基板部と、該基板部から延長され鏡の上端面を係止するフック部とを有し、固定具と鏡係止具の基板部との間には、一方側に多数の連続した係止用の刻設歯が設けられており、他方側には前記刻設歯に噛合する係止片が設けられており、前記固定具の両外側の端面に形成された上下の支承板部と中間部の支承板部との間に、前記門型の基板部に形成された左右の門型脚部をスライドさせて上下動自在に嵌合装着させてある。
固定具と、鏡係止具の基板部との間の一方側の係止片が、他方側の刻設歯に噛合した状態では、鏡係止具の移動は拘束されるので、鏡が脱落する等のことはない。またこの刻設歯と係止片との噛合は、刻設歯が多数設けられているので、施工上の寸法誤差があってもこれを吸収することが可能である。
【図面の簡単な説明】
【図１】  本発明の第１の実施の形態に係るものであり、図（Ａ）は施工後の状態を示す鏡取付部の縦断面側面図、図（Ｂ）は鏡の上端面を係止するための係止具と固定具とから成る取付具を示す正面図、図（Ｃ）は鏡の下端面を係止するための取付具を示す正面図である。
【図２】  本発明の第１の実施の形態に係る取付具を示すものであり、図（Ａ）は係止具の背面図、図（Ｂ）は係止具の側面図、図（Ｃ）は固定具の背面図、図（Ｄ）は固定具の側面図、図（Ｅ）は図（Ａ）の部分拡大図である。
【図３】  本発明の第１の実施の形態に係るものであり、図（Ａ）〜図（Ｅ）は係止具と固定具の係合関係を解放する作業順序を示す正面図である。
【図４】  本発明の第２の実施の形態に係るものであり、図（Ａ）は係止具の背面図、図（Ｂ）係止具の側面図、図（Ｃ）は固定具の背面図、図（Ｄ）は固定具の側面図である。
【図５】  本発明の第３の実施の形態に係るものであり、図（Ａ）は係止具と固定具とが係合している状態を示す正面図、図（Ｂ）は同側面図である。
【図６】  参考例の第４の実施の形態に係るものであり、図（Ａ）は係止具の背面図、図（Ｂ）は同側面図、図（Ｃ）は図（Ｂ）の部分拡大図である。
【図７】  参考例の第４の実施の形態に係るものであり、図（Ａ）は固定具の背面図、図（Ｂ）は図（Ａ）のＸ−Ｘ線断面図、図（Ｃ）は図（Ａ）のＹ−Ｙ線断面図、図（Ｄ）は固定具の正面図、図（Ｅ）は固定具へ係止具を嵌合装着した状態を示す側面図である。
【図８】  参考例の第５の実施の形態に係るものであり、図（Ａ）は係止具の背面図、図（Ｂ）は平面図、図（Ｃ）は側面図である。
【図９】  参考例の第５の実施の形態に係るものであり、図（Ａ）は固定具の背面図、図（Ｂ）は横断平面図、図（Ｃ）は正面図、図（Ｄ）は図（Ｃ）のＺ−Ｚ線断面図である。
【図１０】  従来技術に係るものであり、図（Ａ）は鏡を壁面へ取り付けた状態を示す正面図、図（Ｂ）は鏡上端面側係止具の正面図、図（Ｃ）は同係止具の側面図、図（Ｄ）鏡下端面側係止具の正面図、図（Ｅ）は同係止具の側面図である。
【図１１】  先願技術に係るものであり、図（Ａ）は鏡取付後の縦断面図、図（Ｂ）は鏡上端面係止具を示す斜視図である。
【符号の説明】
１１…鏡上端面側の係止具、１２…固定具、１３…取付具、１４…鏡下端面側の係止具、１５…基板部、１６…フック部、１７Ａ，１７Ｂ…門型脚部、１８Ａ，１８Ｂ…刻設歯、１９Ａ，１９Ｂ…係止凸部、２０…係止片、２１Ａ，２１Ｂ…上下の支承板部、２２Ａ，２２Ｂ…中間部の支承板部、２５〜２７…クッション材
【図１】
0003899434.tif 000002
【図２】
0003899434.tif 000003
【図３】
0003899434.tif 000004
【図４】
0003899434.tif 000005
【図５】
0003899434.tif 000006
【図６】
0003899434.tif 000007
【図７】
0003899434.tif 000008
【図８】
0003899434.tif 000009
【図９】
0003899434.tif 000010
【図１０】
0003899434.tif 000011
【図１１】
0003899434.tif 000012